(57)【特許請求の範囲】
【請求項１】
略箱状の自動販売機本体の内部に収容された商品を販売する自動販売機において、
前記自動販売機本体の前面側の上部に配設され、かつ前面及び上面から内部に陳列された商品見本又は販売商品を視認させる陳列部と、
前記自動販売機本体の上部に配設し、かつ表示画面に情報を表示する表示装置と
を備えて成り、
前記表示装置は、常態においては前記表示画面が水平面を構成する水平姿勢となる一方、必要に応じて前記表示画面が前記自動販売機本体の上面より所定角度だけ傾斜した傾斜姿勢となることを特徴とする自動販売機。
【請求項２】
前記表示装置は、自身の前面側端部を固定端とし、かつ後面側端部を自由端として揺動可能に配設したことを特徴とする請求項１に記載の自動販売機。
【請求項３】
前記表示装置は、操作入力を受け付けるタッチパネル部を備えたことを特徴とする請求項１又は請求項２に記載の自動販売機。
【発明の詳細な説明】
【技術分野】
【０００１】
本発明は、各種情報を表示する表示装置を備える自動販売機に関するものである。
【背景技術】
【０００２】
従来、各種情報を表示する表示装置を備える自動販売機として、前面に開口が形成された直方状の自動販売機本体の前面開口を開閉する外扉の前面に、矩形状の表示画面を有する表示装置が配設されたものが知られている（例えば、特許文献１参照）。
【０００３】
このような自動販売機においては、その前面である外扉の前面に配設された表示装置を通じて販売商品のコマーシャル等の各種情報を表示することで、商品の販売促進を図っている。
【先行技術文献】
【特許文献】
【０００４】
【特許文献１】特開２００３−９１７６８号公報
【発明の概要】
【発明が解決しようとする課題】
【０００５】
ところで、上述した特許文献１に提案されているような自動販売機では、その前面に表示装置が設けられているために、設置場所は壁際等に限定されてしまい、しかも前面側にいる人にしか表示内容を伝えられず宣伝効果が十分とはいえなかった。
【０００６】
本発明は、上記実情に鑑みて、設置場所が限定されず、かつ十分な宣伝効果を発揮することが可能な自動販売機を提供することを目的とする。
【課題を解決するための手段】
【０００７】
上記目的を達成するために、本発明の請求項１に係る自動販売機は、略箱状の自動販売機本体の内部に収容された商品を販売する自動販売機において、前記自動販売機本体の前面側の上部に配設され、かつ前面及び上面から内部に陳列された商品見本又は販売商品を視認させる陳列部と、前記自動販売機本体の上部に配設し、かつ表示画面に情報を表示する表示装置とを備えて成り、前記表示装置は、常態においては前記表示画面が水平面を構成する水平姿勢となる一方、必要に応じて前記表示画面が前記自動販売機本体の上面より所定角度だけ傾斜した傾斜姿勢となることを特徴とする。
【０００８】
また、本発明の請求項２に係る自動販売機は、上述した請求項１において、前記表示装置は、自身の前面側端部を固定端とし、かつ背面側端部を自由端として揺動可能に配設したことを特徴とする。
【０００９】
また、本発明の請求項３に係る自動販売機は、上述した請求項１又は請求項２において、前記表示装置は、操作入力を受け付けるタッチパネル部を備えたことを特徴とする。
【発明の効果】
【００１０】
本発明の自動販売機によれば、自動販売機本体の上部に配設し、かつ表示画面に情報を表示する表示装置が、常態においては表示画面が水平面を構成する水平姿勢となるので、外扉の前面に表示画面が設けられた従来の自動販売機のように壁際だけに設置個所が限定されず、種々の個所に設置することが可能となる。しかも、表示装置が必要に応じて表示画面が自動販売機本体の上面より所定角度だけ傾斜した傾斜姿勢となるので、遠方からの視認も可能になり、設置環境に応じて各種情報を大勢の人々に提供することができる。従って、設置場所が限定されず、かつ十分な宣伝効果を発揮することができるという効果を奏する。
【図面の簡単な説明】
【００１１】
【図１】図１は、本発明の実施の形態である自動販売機をその前方の左側から見た場合を示す斜視図である。
【図２】図２は、本発明の実施の形態である自動販売機の平面図である。
【図３】図３は、本発明の実施の形態である自動販売機をその前方の左側から見た場合を示す斜視図である。
【図４】図４は、図１〜図３に示した自動販売機の表示装置の構成例を示す斜視図である。
【発明を実施するための形態】
【００１２】
以下に添付図面を参照して、本発明に係る自動販売機の好適な実施の形態について詳細に説明する。
【００１３】
図１及び図２は、それぞれ本発明の実施の形態である自動販売機を示すものであり、図１はその前方の左側から見た場合を示す斜視図、図２はその平面図である。
【００１４】
ここで例示する自動販売機は、略箱状の筐体である自動販売機本体１を備えている。かかる自動販売機本体１は、人が上面を見下ろせる程度の高さ寸法を有しており、内部に商品を収容している。
【００１５】
このような自動販売機本体１には、陳列部１０、取出口２０、金銭回収部３０及び表示装置４０が設けてある。
【００１６】
陳列部１０は、自動販売機本体１の前面側の上部に配設してあり、内部に商品見本や販売商品を陳列するものである。このような陳列部１０は、例えばガラス等の透光性材料から形成されるウィンドウ１１により前面及び上面から陳列する商品見本や販売商品を視認可能にしている。
【００１７】
取出口２０は、自動販売機本体１の前面の中央部に配設してある。この自動販売機本体１の内部より払い出された商品を取り出すための開口である。この取出口２０は、フラップドア２１により開閉されるものである。これにより、利用者は、フラップドア２１を開移動させることで取出口２０を開成することができ、これにより購入した商品を取り出すことが可能になる。
【００１８】
金銭回収部３０は、その前面が自動販売機本体１の前面右側に配設してあり、より詳細には、自動販売機本体１の前面右側に形成された凹部２に収納された形態で配設してある。この金銭回収部３０は、自動販売機本体１に対して前方に向けてスライド移動可能となっている。金銭回収部３０の上面には、硬貨投入口３１や表示部３２等が設けてある。硬貨投入口３１は、硬貨を投入する部分であり、金銭回収部３０の内部に備えたコインメック（図示せず）に連通している。コインメックは、投入された硬貨の真偽と金種とを識別し、金種毎に硬貨を収容するものである。コインメックによって識別できなかった硬貨は、金銭回収部３０の前面に設けられた返却口３３から返却される。表示部３２は、投入金額等を表示するものである。
【００１９】
また、金銭回収部３０の前面には、紙幣挿入口３４が設けてある。紙幣挿入口３４は、紙幣を挿入する開口であり、金銭回収部３０の内部に備えた紙幣識別装置（図示せず）に連通している。紙幣識別装置は、挿入された紙幣の真偽と金種とを識別して収容するものであり、この紙幣識別装置によって識別できなかった紙幣は、紙幣挿入口３４から返却される。
【００２０】
表示装置４０は、自動販売機本体１の上部に形成された凹部３に嵌め込まれた形態で配設してある。この表示装置４０は、表示画面４１とタッチパネル部４２とを備えて構成してある。表示画面４１は、矩形状の形態を成しており、販売商品のコマーシャル等の各種情報を表示するものである。タッチパネル部４２は、表示画面４１を囲繞する態様で該表示画面４１の周縁部に配設してある。このタッチパネル部４２は、操作入力を受け付ける入力手段である。
【００２１】
このような表示装置４０は、図３に示すように、自身の前面側端部４０ａを固定端とし、後面側端部４０ｂを自由端として揺動可能に配設してある。これにより、表示装置４０は、常態においては、図１及び図２に示すように表示画面４１が水平面を構成する水平姿勢となる一方、必要に応じて揺動することにより、図３に示すように表示画面４１が自動販売機本体１の上面より所定角度だけ傾斜した傾斜姿勢となることができる。
【００２２】
かかる表示装置４０を揺動可能に配設する構成として種々の形態を取り得るが、その一例を述べると次のようになる。表示装置４０は、図４に示すように、左右両側部の前端部分において側方に向けて突出する軸状部４３を有しており、これら軸状部４３が自動販売機本体１の上部に形成された図示せぬ支持孔に挿通することで、該軸状部４３の軸心回りに揺動可能に配設してある。そして、必要に応じて表示装置４０を傾斜姿勢に保持するための保持部材を、該表示装置４０の所定個所に設けるようにしてもよい。
【００２３】
以上説明したような本実施の形態である自動販売機においては、表示装置４０は、常態においては、表示画面４１が水平面を構成する水平姿勢となるので、外扉の前面に表示画面が設けられた従来の自動販売機のように壁際だけに設置個所が限定されず、種々の個所に設置することが可能となる。しかも、上記表示装置４０が必要に応じて揺動することにより表示画面４１が自動販売機本体１の上面より所定角度だけ傾斜した傾斜姿勢となるので、遠方からの視認も可能になり、設置環境に応じて各種情報を大勢の人々に提供することができる。従って、本実施の形態である自動販売機によれば、設置場所が限定されず、かつ十分な宣伝効果を発揮することができる。
【００２４】
上記自動販売機では、表示装置４０が、表示画面４１を囲繞する態様で該表示画面４１の周縁部にタッチパネル部４２を配設しているので、水平姿勢となる場合には、前方、後方、左方及び右方の４方向からの操作を受け付けることができ、利便性の向上を図ることができる。
【００２５】
以上、本発明の好適な実施の形態について説明したが、本発明はこれに限定されるものではなく、種々の変更を行うことができる。例えば、上述した実施の形態では、表示装置４０は、自動販売機本体１に対して揺動可能に配設してあったが、本発明では、表示装置は、揺動可能に設ける必要はなく、常態においては表示画面が水平面を構成する水平姿勢となる一方、必要に応じて表示画面が自動販売機本体の上面より所定角度だけ傾斜した傾斜姿勢となることができれば、その配設形態については特に限定されない。
【００２６】
また、上述した実施の形態では、表示装置４０のタッチパネル部４２は、矩形状の表示画面４１の周縁部に設けてあったが、本発明においては、タッチパネル部は、表示画面の周縁部に設ける必要はなく、種々の個所に設けることができる。
【符号の説明】
【００２７】
１  自動販売機本体
２  凹部
３  凹部
１０  陳列部
１１  ウィンドウ
２０  取出口
２１  フラップドア
３０  金銭回収部
３１  硬貨投入口
３２  表示部
３３  返却口
３４  紙幣挿入口
４０  表示装置
４０ａ  前面側端部
４０ｂ  後面側端部
４１  表示画面
４２  タッチパネル部
４３  軸状部
【図１】
0005786380.tif 000002
【図２】
0005786380.tif 000003
【図３】
0005786380.tif 000004
【図４】
0005786380.tif 000005